(57)【要約】      （修正有）【課題】シート材自体を拡開して床面のシートとしてペット用に用い、更にカーテンとして立ち上げて間仕切り用として用いる他、ペットを包めて方形の対外線上に位置するコーナー部に、結束した着脱自在の止具を用いて、首掛け部を形成して首からぶら下げて、ペットを持ち上げて移送できるようにした、多目的に供せられる抗菌性多用織物シート材を提供する。【解決手段】抗菌性物質を、塗布又は含浸のいずれか一方を施した布地を、方形に形成した抗菌性シート１と、このシート１の対角線上の相対向する角部２，３に、結束固着した一対の帯片４，５の係止部６と係合部７を備えて、着脱自在とし、これにより構成された首掛け部とより成る。【選択図】図１
0003196049.tif 000002
【実用新案登録請求の範囲】
【請求項１】
抗菌性物質を、塗布又は含浸のいずれか一方を施した布地を、方形に形成した抗菌性シートと、このシートの対角線上の相対向する角部に、結束固着した一対の帯片の係止部と係合部を備えて、着脱自在とし、これにより構成された首掛け部とより成ることを特徴とする抗菌性多用織物シート材。
【請求項２】
抗菌性物質は、光触媒又は銅−亜鉛−アルミニウムの混合物のいずれか一方を含有したエマルジョン糊であること特徴とする請求項１記載の抗菌性多用織物シート材。
【請求項３】
布地は、木綿、絹、羊毛、カシミヤ、麻、レーヨン、ナイロン、ビニロン、ポリアクリル、ポリエステル、ポリプロピレン、ジアセテート、トリアセテートのうちの１つの繊維で形成されていること特徴とする請求項１記載の抗菌性多用織物シート材。
【考案の詳細な説明】
【技術分野】
【０００１】
本考案は、抗菌処理されたペット抱き込みシートを始め、抗菌性の敷布ないしカーテンなどの多目的に使用できる抗菌性多用織物シート材に関する。
【背景技術】
【０００２】
この種のシート材には、ペット用として多目的の用途に用いられているものがある。例えば、ペット用の簡易ベッドやマットレス、更にはペットを収容して持ち運ぶ用途に用いられているものである（例えば、特許文献１参照）。
【先行技術文献】
【特許文献】
【０００３】
【特許文献１】実用新案登録第３１６７３３７号公報
【考案の概要】
【考案が解決しようとする課題】
【０００４】
上述の特許文献１には、シート状の素材を用いている点では構成が簡易であるが、ペットが持つ特有の異臭とかダニ、ノミなどの害虫などがシート部材に移り、清潔感がないという問題がある。
【０００５】
本考案は叙上の点に着目して成されたもので、シート材自体を拡開して床面のシートとしてペット用に用い、更にカーテンとして立ち上げて間仕切り用として用いる他、ペットを包めて方形の対外線上に位置するコーナー部に、結束した着脱自在の止具を用いて、首掛け部を形成して首からぶら下げて、ペットを持ち上げて移送できるようにした、多目的に供せられる抗菌性多用織物シート材を提供することを目的とする。
【課題を解決するための手段】
【０００６】
この考案は下記の構成を備えることにより上記課題を解決できるものである。
【０００７】
（１）抗菌性物質を、塗布又は含浸のいずれか一方を施した布地を、方形に形成した抗菌性シートと、このシートの対角線上の相対向する角部に、結束固着した一対の帯片の係止部と係合部を備えて、着脱自在とし、これにより構成された首掛け部とより成ることを特徴とする抗菌性多用織物シート材。
【０００８】
（２）抗菌性物質は、光触媒又は銅−亜鉛−アルミニウムの混合物のいずれか一方を含有したエマルジョン糊であること特徴とする前記（１）記載の抗菌性多用織物シート材。
【０００９】
（３）布地は、木綿、絹、羊毛、カシミヤ、麻、レーヨン、ナイロン、ビニロン、ポリアクリル、ポリエステル、ポリプロピレン、ジアセテート、トリアセテートのうちの１つの繊維で形成されていること特徴とする前記（１）記載の抗菌性多用織物シート材。
【考案の効果】
【００１０】
本考案によれば、犬，猫などのペットの床面のシートとかに立てかけて間仕切りとして利用したり、床上のマットとして利用したり、更に抱いて移動する時はシート材の係止部と係合部を連結してシートに包んで、首掛け部を利用して首から掛ければ簡単に持ち運びができると共に、更に、ペットを包み込む際、シートに設けたコーナー部分に結着した対角線上の帯片を用いて包み込んでいるので、簡単かつ有効に抱き包むことができ、抗菌性物質で処理されているので、ペットに付着した異臭と、ダニ、ノミ等の害虫を防いで、安心して使用できるなどの効果がある。そして、本考案は、簡単な構造で各種ペットの多目的な用途に利用できる。
【図面の簡単な説明】
【００１１】
【図１】本考案に係る抗菌性多用織物シート材の一実施例を示す一部切欠平面図
【図２】図１のシート材に設けた帯片の一対の係止部と係合部との係合、離脱を示す部分図で、（ａ）は離開状態を示す部分平面図、（ｂ）は係合状態を示す部分平面図
【図３】（ａ）はマットとして使用する場合の平面図、（ｂ）は人間がシートを用いてペットを抱きかかえる場合の正面図
【考案を実施するための形態】
【００１２】
以下本考案実施するための最良の形態を、実施例により詳しく説明する。
【実施例】
【００１３】
１は、全体が方形の可撓性の抗菌性シートを示し、経緯に織成りした繊維布１ａを原糸状態で、又、織成り状態で抗菌物質を塗布又は浸漬して抗菌処理Ｘするものである。
【００１４】
２，３は、前記抗菌性シート１の相対向するコーナー部分の角部、４，５は両角部２，３に結束した短尺な帯片、及び長尺な帯片で、それぞれの帯片４，５の端部に固着した着脱自在の一対の係止部６、係合部７を備える。
【００１５】
そして、この係止部６と係合部７は硬質プラスチックで形成され、バネ片６ａを弾性的に働かせて係止させることができ、この係合状態のバネ片６ａを指頭で押圧して係合状態を外して両係止部６と係合部７を離開させることができる。
【００１６】
この係止部６と係合部７は、その他、係脱できる既製品の何にでも使用できる。
【００１７】
一般に犬，猫等の小動物を床上に寝かせる時は、シート状の抗菌性シート１を床上に敷き、ペットＰを置いて置くことにより、ペットＰは抗菌性シート１内の抗菌処理Ｘされた物質がペットＰに付着したノミ，シラミ等の害虫を取り除いてペットＰの表面を綺麗に保ち、ペットＰを清潔にして健康を維持することができる。同様に布団としてペットＰの掛けマットとしても使用できる。
【００１８】
特に、ペットＰを抗菌性シート１に包み巻いて、相対向した位置に結着させた一対の帯片４，５を用いて首掛け部８を形成して人間の首から下げて抱きかかえることができる時は、清潔なペットＰよりノミ，シラミ等の害虫が人体にはつかず、安心して移動させることができる。
【００１９】
帯片４，５には係脱自在の係止部６、係合部７が取り付けてあるので、簡単に着脱でき、体裁感も良いので、違和感なく使用でき、大変便利である。
【００２０】
なお、抗菌性シート１は、布地として木綿、絹、羊毛、カシミヤ、麻、レーヨン、ナイロン、ビニロン、ポリアクリル、ポリエステル、ポリプロピレン、ジアセテート、トリアセテートを用いることができ、しかも抗菌性処理として本考案者が開発した特許第３２６１６１６号に示す、光触媒又は銅−亜鉛−アルミニウムの混合物が用いられる。
【符号の説明】
【００２１】
１      抗菌性シート
１ａ    繊維布
２，３  コーナー部分の角部
４，５  帯片
６      係止部
６ａ    バネ片
７      係合部
８      首掛け部
Ｐ      ペット
Ｘ      抗菌処理
【図１】
0003196049.tif 000003
【図２】
0003196049.tif 000004
【図３】
0003196049.tif 000005